(57)【特許請求の範囲】
【請求項１】
バックライトを点灯して透過型ＬＣＤの表示を行う携帯機器の透過型ＬＣＤバックライト制御システムにおいて、
不在着信に対する前記バックライトの点灯時間間隔、点灯時間を記憶するメモリ部と、
着信時に着信を受けず着信が途切れ不在着信になった場合、前記メモリ部からの前記点灯時間間隔、点灯時間に基づき、不在着信後断続的に前記点灯時間間隔の経過後に前記点灯時間だけ前記バックライトを点灯して前記透過型ＬＣＤの表示を行わせるタイマー設定を行い、前記バックライトの断続点灯時に前記透過型ＬＣＤに不在着信メッセージを表示させ、さらに、受信したメール内容を表示させ、かけてきた相手の名前、電話番号を表示させ、不在着信が確認された場合にはタイマー設定を無効とするバックライトタイマー制御部とを備えることを特徴とする携帯機器の透過型ＬＣＤバックライト制御システム。
【請求項２】
バックライトを点灯して透過型ＬＣＤの表示を行う携帯機器の透過型ＬＣＤバックライト制御システムにおいて、
不在着信に対する前記バックライトの点灯時間間隔、点灯時間を記憶するメモリ部と、
着信時に着信を受けず着信が途切れ不在着信になった場合、前記メモリ部からの前記点灯時間間隔、点灯時間に基づき、不在着信後断続的に前記点灯時間間隔の経過後に前記点灯時間だけ前記バックライトを点灯して前記透過型ＬＣＤの表示を行わせるタイマー設定を行い、前記バックライトの断続点灯と共に鳴動させ、不在着信が確認された場合にはタイマー設定を無効とするバックライトタイマー制御部とを備えることを特徴とする携帯機器の透過型ＬＣＤバックライト制御システム。
【請求項３】
バックライトを点灯して透過型ＬＣＤの表示を行う携帯機器の透過型ＬＣＤバックライト制御システムにおいて、
不在着信に対する前記バックライトの点灯時間間隔、点灯時間を記憶するメモリ部と、
着信時に着信を受けず着信が途切れ不在着信になった場合、前記メモリ部からの前記点灯時間間隔、点灯時間に基づき、不在着信後断続的に前記点灯時間間隔の経過後に前記点灯時間だけ前記バックライトを点灯して前記透過型ＬＣＤの表示を行わせるタイマー設定を行い、前記バックライトの断続点灯時に前記透過型ＬＣＤに不在着信メッセージを表示させ、前記バックライトの断続点灯と共に鳴動させ、不在着信が確認された場合にはタイマー設定を無効とするバックライトタイマー制御部とを備えることを特徴とする携帯機器の透過型ＬＣＤバックライト制御システム。
【請求項４】
バックライトを点灯して透過型ＬＣＤの表示を行う携帯機器の透過型ＬＣＤバックライト制御システムにおいて、
不在着信に対する前記バックライトの点灯時間間隔、点灯時間を記憶するメモリ部と、
着信時に着信を受けず着信が途切れ不在着信になった場合、前記メモリ部からの前記点灯時間間隔、点灯時間に基づき、不在着信後断続的に前記点灯時間間隔の経過後に前記点灯時間だけ前記バックライトを点灯して前記透過型ＬＣＤの表示を行わせるタイマー設定を行い、前記バックライトの断続点灯時に前記透過型ＬＣＤに不在着信メッセージを表示させ、さらに、受信したメール内容を表示させ、かけてきた相手の名前、電話番号を表示させ、前記バックライトの断続点灯と共に鳴動させ、不在着信が確認された場合にはタイマー設定を無効とするバックライトタイマー制御部とを備えることを特徴とする携帯機器の透過型ＬＣＤバックライト制御システム。
【請求項５】
前記バックライトの断続点灯時に前記透過型ＬＣＤに日時・アンテナバー・電池残量、使用者が待ち受け画面で設定している画像を表示させることを特徴とする、請求項１乃至請求項４のいずれか１つの請求項に記載の携帯機器の透過型ＬＣＤバックライト制御システム。
【請求項６】
前記メモリ部に記憶される前記バックライトの点灯時間間隔、点灯時間を変更することにより、前記バックライトの断続点灯の変更を行うことを特徴とする、請求項１乃至請求項４のいずれか１つの請求項に携帯機器の透過型ＬＣＤバックライト制御システム。
【請求項７】
前記バックライトの断続点灯が指定された時間帯、日、曜日に行われることを特徴とする、請求項１乃至請求項４のいずれか１つの請求項に記載の携帯機器の透過型ＬＣＤバックライト制御システム。
【請求項８】
バックライトを点灯して透過型ＬＣＤの表示を行う携帯機器の透過型ＬＣＤバックライト制御プログラムにおいて、
不在着信に対する前記バックライトの点灯時間間隔、点灯時間を記憶する手順と、
着信時に着信を受けず着信が途切れ不在着信になった場合、記憶された前記点灯時間間隔、点灯時間に基づき、不在着信後断続的に前記点灯時間間隔の経過後に前記点灯時間だけ前記バックライトを点灯して前記透過型ＬＣＤの表示を行わせるタイマー設定を行う手順と、
前記バックライトの断続点灯時に前記透過型ＬＣＤに不在着信メッセージを表示させ、受信したメール内容を表示させ、かけてきた相手の名前、電話番号を表示させる手順と、
不在着信が確認された場合にはタイマー設定を無効とする手順とを備えることを特徴とする携帯機器の透過型ＬＣＤバックライト制御プログラム。
【発明の詳細な説明】
【０００１】
【産業上の利用分野】
本発明は、携帯電話機、ＰＤＡ（携帯情報端末）のような携帯機器の透過型ＬＣＤ（液晶表示部）バックライト制御システムに関する。特に、本発明は、バッテリーの消耗を緩和しつつ、バックライト消灯時の不在着信のメッセージを容易に確認可能にするシステム及び方法に関する。
【０００２】
【従来の技術】
半透過型ＬＣＤ（液晶表示部）では、バックライト消灯時に、外光を半ば反射して液晶画面を透過させることにより、表示画面を多少確認可能である。
一方、携帯電話機に多く使用される透過型ＬＣＤは、外光の反射機能を有しないために、バックライト点灯時しか表示内容を確認できない。バックライト消灯時は、真っ黒い画面になってしまう。
【０００３】
さらに、近年の携帯電話機のＬＣＤ表示部は、大型化の傾向にあるため、バックライトに使用するＬＥＤ（発光ダイオード）の数も多く必要になり、常にバックライトを点灯させると消費電力が多くなりバッテリーを電源とする携帯電話機にとっては好ましくはない。
このため、現在のバックライト点灯・消灯の制御は、例えば、折り畳み型携帯電話機を開いている状態で着信を受けるか、どれか１つのキーボタンを押下することにより、バックライト点灯を開始させ、所定の時間が経過すると、バックライトの点灯を終了させる。
【０００４】
所定の時間内にもう一度キーボタンを押下すれば、そこからまた、所定の時間、バックライトが点灯する。
このように、携帯電話機の使用者が、キーボタンを押下してから何秒というように所定の時間で、バックライト点灯時間が決められている。
そのため、透過型ＬＣＤを有する携帯電話機においては、バックライトが消灯している時間の方が多く、表示画面を確認する際に、どれか一つのキーボタンを一度押下しなければ確認することができない。
【０００５】
【発明が解決しょうとする課題】
ここで、使用者が透過型ＬＣＤを有した折り畳み型の携帯電話機を机の上等に開いた状態で放置し席を外している間にメール着信、電話着信を受けたとする。
その旨（不在着信）のメッセージを透過型ＬＣＤに表示し、バックライトが点灯を開始してから、所定の時間が経過するまでに、使用者が戻ってこなければ、バックライトが消灯されてしまい、表示画面には着信があった旨のメッセージを表示しているのに確認できないため、使用者はキー操作部のボタンを押下し、バックライトを点灯させるまで、不在着信のメッセージに気が付かないという問題が発生する。
【０００６】
このような問題に対する改善策として、従来の技術では、不在着信通知、未読メールが有る場合に、着信ランプ等のインジケータを点滅させる機能がある。
しかし、その機能では、その旨を伝えるメッセージの内容を直接確認できないこと、点滅時間、点滅間隔を自由に設定できないため、使用者が確認を行わなかったら常時点滅を続けバッテリーを消耗してしまうという問題が有る。
【０００７】
したがって、本発明は上記問題点に鑑みて、バッテリーの消耗を緩和しつつ、バックライト消灯時の不在着信のメッセージを容易に確認可能にする携帯機器の透過型ＬＣＤバックライト制御システム及び方法を提供することを目的とする。
【０００８】
【課題を解決するための手段】
本発明は前記問題点を解決するために、バックライトを点灯して透過型ＬＣＤの表示を行う携帯機器の透過型ＬＣＤバックライト制御システムにおいて、不在着信に対する前記バックライトの点灯時間間隔、点灯時間を記憶するメモリ部と、着信時に着信を受けず着信が途切れ不在着信になった場合、前記メモリ部からの前記点灯時間間隔、点灯時間に基づき、不在着信後断続的に前記点灯時間間隔の経過後に前記点灯時間だけ前記バックライトを点灯して前記透過型ＬＣＤの表示を行わせるタイマー設定を行い、前記バックライトの断続点灯時に前記透過型ＬＣＤに不在着信メッセージを表示させ、さらに、受信したメール内容を表示させ、かけてきた相手の名前、電話番号を表示させ、不在着信が確認された場合にはタイマー設定を無効とするバックライトタイマー制御部とを備えることを特徴とする携帯機器の透過型ＬＣＤバックライト制御システムを提供する。
この手段により、バッテリーの消耗を緩和しつつ、バックライト消灯時の不在着信時の着信メッセージ、さらに、直接表示内容が確認可能になる。
【０００９】
さらに、本発明は、バックライトを点灯して透過型ＬＣＤの表示を行う携帯機器の透過型ＬＣＤバックライト制御システムにおいて、不在着信に対する前記バックライトの点灯時間間隔、点灯時間を記憶するメモリ部と、着信時に着信を受けず着信が途切れ不在着信になった場合、前記メモリ部からの前記点灯時間間隔、点灯時間に基づき、不在着信後断続的に前記点灯時間間隔の経過後に前記点灯時間だけ前記バックライトを点灯して前記透過型ＬＣＤの表示を行わせるタイマー設定を行い、前記バックライトの断続点灯と共に鳴動させ、不在着信が確認された場合にはタイマー設定を無効とするバックライトタイマー制御部とを備えることを特徴とする携帯機器の透過型ＬＣＤバックライト制御システムを提供する。
この手段により、バックライト消灯時の表示内容の確認にバッテリーの消耗を緩和しつつ、前記不在着信時に透過型ＬＣＤの画面に向かせることが可能になる。
【００１０】
さらに、本発明は、バックライトを点灯して透過型ＬＣＤの表示を行う携帯機器の透過型ＬＣＤバックライト制御システムにおいて、不在着信に対する前記バックライトの点灯時間間隔、点灯時間を記憶するメモリ部と、着信時に着信を受けず着信が途切れ不在着信になった場合、前記メモリ部からの前記点灯時間間隔、点灯時間に基づき、不在着信後断続的に前記点灯時間間隔の経過後に前記点灯時間だけ前記バックライトを点灯して前記透過型ＬＣＤの表示を行わせるタイマー設定を行い、前記バックライトの断続点灯時に前記透過型ＬＣＤに不在着信メッセージを表示させ、前記バックライトの断続点灯と共に鳴動させ、不在着信が確認された場合にはタイマー設定を無効とするバックライトタイマー制御部とを備えることを特徴とする携帯機器の透過型ＬＣＤバックライト制御システムを提供する。
この手段により、バッテリーの消耗を緩和しつつ、バックライト消灯時の不在着信時の着信メッセージが確認可能になり、前記不在着信時に鳴動により透過型ＬＣＤの画面に向かせることが可能になる。
さらに、本発明は、バックライトを点灯して透過型ＬＣＤの表示を行う携帯機器の透過型ＬＣＤバックライト制御システムにおいて、不在着信に対する前記バックライトの点灯時間間隔、点灯時間を記憶するメモリ部と、着信時に着信を受けず着信が途切れ不在着信になった場合、前記メモリ部からの前記点灯時間間隔、点灯時間に基づき、不在着信後断続的に前記点灯時間間隔の経過後に前記点灯時間だけ前記バックライトを点灯して前記透過型ＬＣＤの表示を行わせるタイマー設定を行い、前記バックライトの断続点灯時に前記透過型ＬＣＤに不在着信メッセージを表示させ、さらに、受信したメール内容を表示させ、かけてきた相手の名前、電話番号を表示させ、前記バックライトの断続点灯と共に鳴動させ、不在着信が確認された場合にはタイマー設定を無効とするバックライトタイマー制御部とを備えることを特徴とする携帯機器の透過型ＬＣＤバックライト制御システムを提供する。
この手段により、バッテリーの消耗を緩和しつつ、バックライト消灯時の不在着信時の着信メッセージ、さらに、直接表示内容が確認可能になり、前記不在着信時に鳴動により透過型ＬＣＤの画面に向かせることが可能になる。
【００１１】
さらに、好ましくは、前記バックライトの断続点灯時に前記透過型ＬＣＤに日時・アンテナバー・電池残量、使用者が待ち受け画面で設定している画像を表示させる。
この手段により、バッテリーの消耗を緩和しつつ、前記透過型ＬＣＤに日時・アンテナバー・電池残量、使用者が待ち受け画面で設定している画像の情報提供が可能になる。
【００１２】
好ましくは、前記メモリ部に記憶される前記バックライトの点灯時間間隔、点灯時間を変更することにより、前記バックライトの断続点灯の変更を行う。
この手段により、ユーザの好みに適合して前記バックライトの断続点灯の設定を行うことが可能になる。
好ましくは、前記バックライトの断続点灯が指定された時間帯、日、曜日に行われる。
この手段により、重要な時間帯、日、曜日に限定して、バックライトの断続点灯を行わせるようにして、バッテリーの消耗をさらに緩和する。
【００１３】
さらに、本発明は、バックライトを点灯して透過型ＬＣＤの表示を行う携帯機器の透過型ＬＣＤバックライト制御プログラムにおいて、不在着信に対する前記バックライトの点灯時間間隔、点灯時間を記憶する手順と、着信時に着信を受けず着信が途切れ不在着信になった場合、記憶された前記点灯時間間隔、点灯時間に基づき、不在着信後断続的に前記点灯時間間隔の経過後に前記点灯時間だけ前記バックライトを点灯して前記透過型ＬＣＤの表示を行わせるタイマー設定を行う手順と、前記バックライトの断続点灯時に前記透過型ＬＣＤに不在着信メッセージを表示させ、受信したメール内容を表示させ、かけてきた相手の名前、電話番号を表示させる手順と、不在着信が確認された場合にはタイマー設定を無効とする手順とを備えることを特徴とする携帯機器の透過型ＬＣＤバックライト制御プログラムを提供する。
【００１４】
この手段により、上記発明と同様に、バッテリーの消耗を緩和しつつ、バックライト消灯時の不在着信時の着信メッセージ、さらに、直接表示内容が確認可能になる。
【発明の実施の形態】
以下、本発明の実施の形態について図面を参照して説明する。
図１は本発明に係る折り畳み型携帯電話機の外観図である。本図に示すように、折り畳み型携帯電話機１０の前面には透過型ＬＣＤ（液晶表示部）１１が設けられ、透過型ＬＣＤ１１は日時・アンテナバー・電池残量、使用者が待ち受け画面で設定している画像の他、メール着信、電話着信などの各種メッセージを表示する。
【００１５】
さらに、折り畳み型携帯電話機１０の前面にはキー操作部１２が設けられ、キー操作部１２はユーザーが各種設定等を行うことを可能にする。
さらに、透過型ＬＣＤ１１の上面には保護スクリーン１５が設けられ、保護スクリーン１５は衝撃、塵、埃等を防止し、液晶を保護する。
さらに、折り畳み型携帯電話機１０の上部に電波の送受信を行うアンテナ１３、下部の収納部に各ブロックに電力を供給するバッテリー１４、着信音を鳴動するサウンダ１６が設けられる。
【００１６】
図２は図１の折り畳み型携帯電話機１０の制御動作を説明する概略構成を示すブロック図である。
本図に示すように、折り畳み型携帯電話機１０の内部に設けられる制御部２１には、前述のキー操作部１２と、バッテリー１４と、サウンダ１６と、アンテナ１３からの受信信号、アンテナ１３への送信信号の処理を行う無線部２２と、折り畳み型携帯電話機１０の折り畳み状態又は展開状態を検出するための開閉検出回路２３と、日、曜日、時刻、時間データを発生する時計部２４と、プログラム、データ等の情報を格納するメモリ部２５と、透過型ＬＣＤ１１に対するＬＣＤドライバ２６、透過型ＬＣＤ１１に対するバックライト２９が接続される。
【００１７】
制御部２１は折り畳み型携帯電話機１０の全制御を行うと共にバッテリー１４の電力を各ブロックに供給するための制御を行う。
詳細には、無線部２２はアンテナ１３からメール着信及び電話着信の受信信号を入力すると共に、アンテナ１３に送信信号を出力し、周波数変換処理を行う。無線部２２の周波数変換処理では、ここでは、受信（着信）について説明すると、入力された受信信号が２段のミキサにより受信中間周波数信号に周波数変換され、さらにモデムによりその信号が復調処理され、復調後の受信データが制御部２１に出力される。
【００１８】
制御部２１にはＬＣＤドライバ２６を経由して透過型ＬＣＤ１１が接続され、制御部２１は、着信を検出すると、透過型ＬＣＤ１１の各液晶素子に電圧を印加するようにＬＣＤドライバ２６を制御し、透過型ＬＣＤ１１に着信の情報、メッセージを表示させる。
さらに、不在着信時であれば、透過型ＬＣＤ１１は、メール着信アイコン、例えば、『不在着信あり』とのメッセージを表示する。
【００１９】
また、制御部２１は、着信がない場合でも、ＬＣＤドライバ２６を制御して、日時・アンテナバー・電池残量、使用者が待ち受け画面で設定している画像等を透過型ＬＣＤ１１に表示させる。
透過型ＬＣＤ１１にはバックライト２９が接続され、バックライト２９はバックライト用ＬＥＤ（発光ダイオード）２７と導光板２８で構成される。
【００２０】
バックライト用ＬＥＤ２７は、光源であり、導光板２８は、透過型ＬＣＤ１１に外光を反射させないように背面から透過型ＬＣＤ１１に向けてバックライト用ＬＥＤ２７の光を渡らせる。
バックライト２９により透過型ＬＣＤ１１が照明された時（以下、バックライト２９の点灯という）のみ、使用者がＬＣＤドライバ２６により駆動された表示画面を認識することができる。
【００２１】
しかし、バックライト２９を常時点灯させてしまうと、バッテリー１４の消耗が激しくなる。このため、折り畳んだ状態か又は展開した状態かを開閉検出回路２３に検出させ、その検出結果を基にバックライト用ＬＥＤ２７に電力を供給する制御が行われる。つまり、この制御では、折り畳み状態の場合にはバックライト２９を消灯し、展開状態の場合にはバックライト２９を点灯させる。
【００２２】
また、展開状態の場合で、バックライト２９が点灯している時であっても、時計部２４から時間データを検出し、メモリ部２５に予め格納されているバックライト点灯時間内にキー操作部１２から何ら入力操作がなければ、所定時間経過後に消灯させる制御が行われている。
さらに、制御部２１にはバックライトタイマー制御部２１Ａが設けられ、バックライトタイマー制御部２１Ａは、使用者が予めキー操作部１２により、不在着信時に透過型ＬＣＤ１１に表示されるメッセージの確認用にバックライト２９をタイマー制御させる目的で、『不在着信時に最後にバックライト２９が消灯してから一定時間間隔に一定秒数点灯させる』という設定を行うと、その動作設定と設定された時間間隔・点灯秒数をメモリ部２５に格納する。
【００２３】
制御部２１のバックライトタイマー制御部２１Ａは、時計部２４から時間データを随時入力し、メモリ部２５に格納されている情報を受け、最後にバックライト２９が消灯してから使用者が設定した時間が経過すると、設定秒数だけバックライト２９を点灯させ、この動作を繰り返し、バックライト２９の断続点灯の制御を行う。
【００２４】
メモリ部２５に格納される設定時間間隔・点灯秒数を任意に変更する事により、バックライト２９の点灯断続時間をユーザの好みに適合させることが可能である。
バックライトタイマー制御部２１Ａが行う制御動作の詳細は、プログラムとしてメモリ部２５に格納され、以下に、説明を行う。
【００２５】
図３は図２におけるバックライトタイマー制御部２１Ａの制御動作例を説明するフローチャートである。
本図に示すように、ステップＳ３０において、使用者が折り畳み型携帯電話機１０を透過型ＬＣＤ１１の表示画面の内容を確認しやすいように展開した状態で机等の上に設置されているとする。なお、折り畳み状態では、如何なる時もバックライト２９は点灯しないため本処理は行わない。
【００２６】
ステップＳ３１において、展開状態でメール着信、電話着信を受けるが、使用者が気が付かなかったり、席を外していたために着信を受けず、一定時間が経過すると着信が途切れる。この場合、不在着信となる。なお、使用者が着信を受けた場合には、処理を終了する。
ステップＳ３２において、バックライトタイマー制御部２１Ａは、バックライト２９を点灯し、ＬＣＤドライバ２６を制御し、メール着信、電話着信があった旨のメール着信アイコン、『不在着信あり』のメッセージを透過型ＬＣＤ１１に表示させる。
【００２７】
ステップＳ３３において、所定時間が経過したらバックライト２９は消灯される。
ステップＳ３４において、バックライトタイマー制御部２１Ａは、使用者がキー操作部１２により着信を受けず透過型ＬＣＤ１１にメール着信アイコン、『不在着信あり』のメッセージが表示されている時に、バックライト２９の点灯をタイマーで制御するため、『最後にバックライト２９が消灯してから何分・何時間間隔に何秒間点灯させる』という設定がメモリ部２５に格納されているかを検出する。
なお、点灯させる間隔時間、点灯時間は、使用者がキー操作部１２で本機能を設定する際に自由に設定できる。
【００２８】
この設定が検出されない場合にはステップＳ３９に進む。
ステップＳ３５において、設定されている場合には、最後にバックライト２９が消灯した時間からメモリ部２５に設定されている設定時間が経過したかを時計部２４により随時入力される時間データを検出する。
ステップＳ３６において、その設定時間間隔が経過した時に設定秒数間だけバックライト２９を点灯させる。
【００２９】
ステップＳ３７において、タイマーで制御されたバックライト２９の点灯により、使用者は、透過型ＬＣＤ１１に表示されている不在着信時のメッセージに気付き、キー操作部１２を押下すると、その内容を確認することができる。
もし、使用者が不在着信時のメッセージの内容を確認しなければ、ステップＳ３５に戻り、再度、バックライト２９が消灯してから設定時間間隔が経過した後に設定秒数間だけバックライト２９を点灯させ、上記動作を繰り返し、バックライト２９の断続点灯を行う。
【００３０】
ステップＳ３８において、不在着信時のメッセージの内容が確認されると、メッセージは消え、タイマー設定も無効となり、本処理を終了する。
ステップＳ３９において、メモリ部２５にバックライト２９の点灯させる間隔時間、点灯時間が設定されず、ステップＳ３４の設定が検出されない場合には、使用者がキー操作部１２を故意に押下するのを待つ。
【００３１】
ステップＳ４０において、キー操作部１２の押下により、所定秒数間バックライト２９の点灯を行う。
ステップＳ４１において、使用者が透過型ＬＣＤ１１に表示されるメッセージを確認し、ステップＳ３８に進む。
このように、従来では、使用者が故意にバックライト２９を点灯させない限り、不在着信時に表示されるメッセージを確認することができなかったけれど、本発明の用に、透過型ＬＣＤ１１のバックライト２９の点灯をタイマー制御させることにより、表示画面の確認だけのために使用者がキー操作部１２を押下する必要がなくなった。
【００３２】
すなわち、透過型ＬＣＤ１１の表示画面に不在着信等のメッセージが表示されている時に、バックライト２９を一定周期で点灯させることができることにより、使用者が表示メッセージに容易に気付き、内容を確認することができる。
さらに、透過型ＬＣＤ１１の表示画面に受信したメールのメッセージ内容を自動で表示できるように設定してあったり、電話の不在着信時のメッセージを『不在着信あり』ではなく、かけてきた相手の名前、電話番号で表示できるように使用者が設定している時には、透過型ＬＣＤ１１のバックライト２９を点灯させて、直接表示内容を確認できるというメリットがある。
【００３３】
必要のある時にバックライト２９を自動で点灯してくれるため、通常はバックライト２９を消灯状態にしておき携帯電話機のバッテリの消耗を緩和することができる。
次に、バックライトタイマー制御部２１Ａは、バックライト２９の点灯の時間間隔、点灯の時間の他に点灯の時間帯を指定してメモリ部２５に格納するようにしてもよい。
【００３４】
このようにして、重要な着信の予定時間帯、例えば、午前、午後のようにに限定して、バックライト２９の断続点灯を行わせ、不在着信の確認を行うことが可能になるので、さらにバッテリの消耗を緩和することができる。
さらに、上記例に加えて点灯の日、曜日を指定してメモリ部２５に格納するようにしてもよい。
【００３５】
このようにして、重要な着信の予定日に限定して、バックライト２９の断続点灯を行わせ、不在着信の確認を行うことが可能になるので、さらに、バッテリの消耗を緩和することができる。
さらに、バックライト２９の点灯と共に、サウンダ１６による鳴動をさせるようにしてもよい。これにより、折り畳み型携帯電話機１０の透過型ＬＣＤ１１を見ていない場合に、透過型ＬＣＤ１１の方に向かせて、不在着信の確認をさせることができる。
以上、不在着信時に透過型ＬＣＤ１１に表示されるメッセージ確認について説明を行ったが、本内容以外にも、現在時刻等を確認するために、このタイマー機能を、以下のように、利用することが可能である。
【００３６】
図４は図３における他の制御動作例を説明するフローチャートである。
ステップＳ４１において、使用者が、キー操作部１２により、『現在の時刻から何分・何時間間隔に何秒間点灯させる』という、バックライト２９の点灯動作のタイマー設定を行う。その設定と設定された時間間隔・点灯時間がメモリ部２５に格納される。
【００３７】
ステップＳ４２において、キー操作部１２の押下により、タイマー制御開始の要求を行う。
ステップＳ４３において、バックライトタイマー制御部２１Ａは、タイマー設定された時刻から設定時間間隔が経過したかを時計部２４により随時入力される時間データを検出し、その設定時間間隔が経過したかを監視する。
【００３８】
ステップＳ４４において、その設定時間間隔が経過した時に、設定秒数間だけバックライト２９を点灯させる。
ステップＳ４５において、設定秒数間だけバックライト２９の点灯後、バックライト２９を消灯させる。
ステップＳ４６において、バックライト２９の消灯後、再度、設定時間間隔経過したかを監視する。
【００３９】
ステップＳ４７において、その設定時間間隔が経過した時に、設定秒数間だけバックライト２９を点灯させる。
ステップＳ４８において、キー操作部１２の押下により、タイマー制御停止の要求がなければ、ステップＳ４４に戻り、以上のステップを繰り返し、バックライト２９の断続点灯を行う。上記要求があれば、タイマー制御停止を行い、処理を終了する。
【００４０】
この機能により、一旦、タイマー制御が開始されると、キー操作部１２を故意に押下しなくても、ある一定時間の周期で、自動的にバックライト２９を断続的に点灯させて、日時・アンテナバー・電池残量、使用者が待ち受け画面で設定している画像等で透過型ＬＣＤ１１に表示されている情報内容を確認することができる。
【００４１】
以上、折り畳み型携帯電話機１０について説明を行ったが、一体型の透過型ＬＣＤを有する携帯電話機、ＰＤＡ（携帯情報端末）にも適用可能である。
また、半透過型ＬＣＤを有する携帯電話機においても、外光のない暗室、夜等の場合であれば、前述と同様の作用効果を得ることが可能である。
【００４２】
【発明の効果】
以上説明したように、本発明によれば、バックライトの点灯時間間隔、点灯時間を記憶し、バックライトの消灯後、点灯時間間隔の経過後に点灯時間だけバックライトを点灯して透過型ＬＣＤの断続表示を行わせるようにしたので、バッテリーの消耗を緩和しつつ、バックライト消灯時の表示内容が容易に確認可能になる。
さらに、バックライトの断続点灯時に透過型ＬＣＤに不在着信時の着信メッセージを表示させるようにしたので、バッテリーの消耗を緩和しつつ、バックライト消灯時の不在着信時の着信メッセージが容易に確認可能になる。
【００４３】
さらに、バックライトの断続点灯時に透過型ＬＣＤに日時・アンテナバー・電池残量、使用者が待ち受け画面で設定している画像を表示させるようにしたので、バッテリーの消耗を緩和しつつ、透過型ＬＣＤに日時・アンテナバー・電池残量、使用者が待ち受け画面で設定している画像の情報提供が可能になる。
【図面の簡単な説明】
【図１】図１は本発明に係る折り畳み型携帯電話機の外観図である。
【図２】図２は図１の折り畳み型携帯電話機１０の制御動作を説明する概略構成を示すブロック図である。
【図３】図３は図２におけるバックライトタイマー制御部２１Ａの制御動作例を説明するフローチャートである。
【図４】図４は図３における他の制御動作例を説明するフローチャートである。
【符号の説明】
１０…折り畳み型携帯電話機
１１…透過型ＬＣＤ
１２…キー操作部
１３…アンテナ
１４…バッテリー
１５…保護スクリーン
１６…サウンダ
２２…無線部
２３…開閉検出回路
２４…時計部
２５…メモリ部
２６…ＬＣＤドライバ
２７…バックライト用ＬＥＤ
２８…導光板
２９…バックライト
【図１】
0003845265.tif 000002
【図２】
0003845265.tif 000003
【図３】
0003845265.tif 000004
【図４】
0003845265.tif 000005